(57)【要約】【課題】スカートガードに穴を設けることなく、スカートガードの着脱ができる乗客コンベアのスカートガード着脱治具を得る。【解決手段】スカートガード１０の裏面に設けられ、スカートガード１０を主枠１に固定する裏補強部１０ａを介してスカートガード１０を着脱するために用いられるスカートガード着脱治具２６であって、端部に設けられ、裏補強部１０ａを係止する断面Ｕ字形状のフック部２６ａと、このフック部２６ａからほぼ垂直に延設された基部２６ｂと、この基部２６ｂの上部に接続された把持部２６ｄとを備えている。【選択図】図２
2007230700.tif 000002
【特許請求の範囲】
【請求項１】
スカートガードの裏面に設けられ、スカートガードを主枠に固定する固定手段を介してスカートガードを着脱するために用いられる乗客コンベアのスカートガード着脱治具であって、
端部に設けられ、前記固定手段を係止する断面Ｕ字形状のフック部と、
前記フック部からほぼ垂直に延設された基部と、
前記基部の上部に接続された把持部と、
を備えたことを特徴とする乗客コンベアのスカートガード着脱治具。
【請求項２】
前記基部の上部に係止され、前記基部と協同してスカートガードを挟む挟み部を備えたことを特徴とする請求項１に記載の乗客コンベアのスカートガード着脱治具。
【請求項３】
前記挟み部は、上部にＵ字形状をした一対の係止腕部を有していることを特徴とする請求項１または請求項２に記載の乗客コンベアのスカートガード着脱治具。
【発明の詳細な説明】
【技術分野】
【０００１】
この発明は、乗客コンベアのスカートガードを着脱する際に使用する乗客コンベアのスカートガード着脱治具に関する。
【背景技術】
【０００２】
従来、乗客コンベアのスカートガード着脱治具として、２本の棒と、それぞれの棒の一端部に接続されたフックと、他端部に接続されたリングと、このリングに接続された把持部とを備えたものが知られている（例えば、特許文献１参照）。この場合、スカートガードには取付け穴が設けられており、その取付け穴にフックを係止した後、把持部を持ち上げることによりスカートガードの取り外しを行っていた。
【０００３】
【特許文献１】特開平１１−２４６１５９号公報
【発明の開示】
【発明が解決しようとする課題】
【０００４】
しかしながら、このものの場合、スカートガードに穴を設けなければならず、作業工程が増える等の問題点があった。
【０００５】
この発明は、上述のような問題点を解決することを課題とするものであって、その目的は、スカートガードに穴を設けなくても、スカートガードの着脱ができる乗客コンベアのスカートガード着脱治具を提供するものである。
【課題を解決するための手段】
【０００６】
この発明に係る乗客コンベアのスカートガード着脱治具は、スカートガードの裏面に設けられ、スカートガードを主枠に固定する固定手段を介してスカートガードを着脱するために用いられる乗客コンベアのスカートガード着脱治具であって、端部に設けられ、前記固定手段を係止する断面Ｕ字形状のフック部と、前記フック部からほぼ垂直に延設された基部と、前記基部の上部に接続された把持部とを備えたものである。
【発明の効果】
【０００７】
この発明に係る乗客コンベアのスカートガード着脱治具によれば、スカートガードに穴を設けることなく、スカートガードの着脱ができる。
【発明を実施するための最良の形態】
【０００８】
以下、この発明の各実施の形態を図に基づいて説明するが、各図において、同一または相当の部材、部位については、同一符号を付してある。
実施の形態１．
図１はこの発明の実施の形態１に係るエスカレーターの全体構成図、図２は図１のＩＩ−ＩＩ線に沿った矢視断面図、図３は図２の主枠１等を取り除いた図、図４は図３にスカートガード着脱治具２６を取付けた図、図５は図３にスカートガード着脱治具２６を取り付け、スカートガード１０を取り外した図、図６（ａ）は発明の実施の形態１に係るスカートガード着脱治具２６の正面図、図６（ｂ）は図６（ａ）の側面図、図６（ｃ）は図６（ａ）の背面図、図７は図１にスカートガード着脱治具２６を取付けて、スカートガード１０を吊り上げた時の拡大正面図、図８は図７の要部拡大図、図９は図６のスカートガード着脱治具２６を用いて、図１のエスカレーターからスカートガード１０を取外し、吊り下げた状態を示した図である。
【０００９】
このスカートガード着脱治具２６が使用される乗客コンベアであるエスカレーターには、上下階の床間に架け渡されたエスカレーターの主枠１が設けられている。この主枠１の上部には、エスカレーターから人の脱落を防止する欄干２が進行方向に沿って左右に設けられている。エスカレーターの上階の床部分には、駆動機３が設けられ、この駆動機３は駆動チェーン４を介して駆動スプロケット５と連結している。この駆動スプロケット５は同軸上に上部踏段スプロケット６と固定され、この上部踏段スプロケット６は踏段チェーン７を介して踏段８と連結し、さらに、エスカレーターの下階の床部分に設けられている下部踏段スプロケット９と連結している。また、欄干２の周囲には手摺が設けられている。
【００１０】
踏段８の側面に対向して、一対のスカートガード１０が設けられている。このスカートガード１０の裏には、スカートガード１０を主枠１に固定するための裏補強部１０ａが溶接により固着されている。また、スカートガード１０の裏で、裏補強部１０ａの下方には、狭持する部位が下方に形成されたクリップ１０ｂが設けられている。
【００１１】
主枠１には、スカートガード１０に向かってスカートアングル取付金１１が設けられている。このスカートアングル取付金１１の端部には、スカートガード１０の全長に渡って、スカートアングル１２が設けられており、締結部品１３により、スカートアングル１２はスカートアングル取付金１１に固定されている。また、クリップ１０ｂがスカートアングル１２の端部を挟持しているので、スカートガード１０はスカートアングル１２に固定されている。
【００１２】
主枠１には、スカートアングル取付金１１より上方で、スカートガード１０に向かって手摺ガイド取付金１４が設けられている。この手摺ガイド取付金１４の端部には、手摺ガイド１５が設けられており、締結部品１６により、手摺ガイド１５は手摺ガイド取付金に固定されている。また、この手摺ガイド１５には移動手摺１７が取付けられている。
【００１３】
主枠１の上部には、上弦枠１８が主枠１に沿って設けられている。この上弦枠１８の端部には、取付金１９が設けられており、締結部品２０により取付金１９は上弦枠１８に固定されている。この取付金１９の端部には、受金２１が設けられており、締結部品２２により、受金２１は取付金１９に固定されている。この受金２１の端部には、締結部品２３を介して、裏補強部１０ａが固定されている。
【００１４】
スカートガード１０の上方には、インナーデッキ２４が設けられ、上弦枠１８の上方には外側デッキ２５が設けられ、インナーデッキ２４と外側デッキ２５との間には欄干２が取付けられている。
【００１５】
次に、スカートガードを着脱する際に使用するスカートガード着脱治具２６について説明する。
このスカートガード着脱治具２６の下端部には、図６（ａ）〜（ｃ）に示すように、断面Ｕ字形状をしたフック部２６ａが形成されている。このフック部２６ａには、ほぼ垂直に延設された基部２６ｂが設けられている。このフック部２６ａと基部２６ｂとにより挟まれた部分にはほぼ三角形形状をした補強部２６ｃが設けられている。基部２６ｂの上部には、Ｔ字形状をした把持部２６ｄが取付けられており、これにより、このスカートガード着脱治具２６は持ちやすくなっている。
【００１６】
次に、このスカートガード着脱治具２６を用いて、スカートガード１０を取り外す手順について説明する。
まず、図３に示すように、インナーデッキ２４をエスカレーターから取り外す。さらに、締結部品２２、２３をはずして、受金２１を取り外す。
次に、図４に示すように、受金２１が取り外され空いたスペースにこのスカートガード着脱治具２６を挿入し、フック部２６ａを裏補強部１０ａに係止する。この時、図７、８に示すように、一枚のスカートガード１０に対して、２個のスカートガード着脱治具２６をスカートガードの両端に係止する。この時、フック部２６ａの内径は裏補強部１０ａの厚みより少し大きくなっている。
次に、図５に示すように、このスカートガード着脱治具２６を鉛直方向に引き抜くと、クリップ１０ｂがスカートアングル１２から外れ、図９に示すように、スカートガード１０を取り出すことができる。
【００１７】
次に、スカートガード１０を取り付ける手順について説明する。
スカートガード１０の裏補強部１０ａにスカートガード着脱治具２６を取付けた後、把持部２６ｄを持って、スカートガード１０を主枠１の中に挿入する。スカートガード１０にはクリップ１０ｂが設けられているので、クリップ１０ｂのバネ力に抗してクリップ１０ｂをスカートアングル１２に嵌め込むと共に、所定の位置までスカートガード１０を押し下げる。
次に、受金２１を取付金１９に取付け、締結部品２２で受金２１を取付金１９に固定し、締結部品２３で裏補強部１０ａを受金２１に固定した後、インナーデッキ２４をスカートガード１０と欄干２との間に戻す。これにより、スカートガード１０をエスカレーターに取り付けることができる。
【００１８】
以上説明したように、このスカートガード着脱治具２６を用いると、スカートガード１０に穴を設けることなく、スカートガード１０を着脱することができる。また、スカートガード着脱治具２６には把持部２６ｄが設けられているので、作業者が踏段８の上で、無理のない作業姿勢で効果的にスカートガード１０を着脱することができる。
【００１９】
また、フック部２６ａの空間部は裏補強部１０ａの板厚より少し大きくなっているので、作業者は、図７のように、このスカートガード着脱治具２６を踏段８に立ってスカートガード１０の裏補強部１０ａの法線方向から踏段８の法線方向へ少し傾けて、スカートガードを持ち上げることができるので、無理のない作業姿勢で効果的にスカートガードを着脱することができる。
【００２０】
図８、図９に示すように、フック部２６ａの内径は裏補強部１０ａの厚みより少し大きくなっているので、フック部２６ａ内面の上部のコーナー部が裏補強部１０ａの上面に対して押し付けられており、フック部２６ａの内面の下部のコーナー部が裏補強部１０ａの下面に対して押し付けられており、両方の押し付け力による摩擦力により、スカートガード１０がスカートガード着脱治具２６から斜め方向にずれ落ち難くなる。
【００２１】
実施の形態２．
図１０は実施の形態２に係るスカートガード着脱治具３６の全体斜視図、図１１は図１０のスカートガード着脱治具３６をスカートガード１０に取付けた時の要部側面図である。
【００２２】
実施の形態２に係るスカートガード着脱治具３６は、図１０に示すように、実施の形態１に係るスカートガード着脱治具２６に挟み部２６ｅを付設したものである。
図１１に示すように、挟み部２６ｅは、基部２６ｂの上部に係止され、基部２６ｂと協同してスカートガード１０を挟む。この挟み部２６ｅの上部には、Ｕ字形状をした一対の係止腕部２７が形成されている。基部２６ｂと挟み部２６ｅとの間には連結材２８が設けられ、挟み部２６ｅが紛失しないようになっている。
【００２３】
以上説明したように、このスカートガード着脱治具３６を用いると、スカートガード１０を基部２６ｂと挟み部２６ｅとで挟むので、スカートガード１０がフック部２６ａから外れにくくなり、安定してスカートガード１０を着脱することができる。
【００２４】
また、挟み部２６ｅには、Ｕ字形状をした係止腕部２７が設けられているので、簡単に挟み部２６ｅを基部２６ｂに取り付けることができる。
【００２５】
なお、上記各実施の形態では、乗客コンベアについてエスカレーターを例にして説明したが、勿論このものに限らず、例えば、動く歩道のようなものであってもよい。
【図面の簡単な説明】
【００２６】
【図１】実施の形態１に係るエスカレーターの全体構成図である。
【図２】図１のＩＩ−ＩＩ線に沿った矢視断面図である。
【図３】図２から主枠等を取り除いた図である。
【図４】図３にスカートガード着脱治具を取付けた図である。
【図５】図３にスカートガード着脱治具を取り付け、スカートガードを取り外した図である。
【図６】図６（ａ）は実施の形態１に係るスカートガード着脱治具の正面図、図６（ｂ）は図６（ａ）の側面図、図６（ｃ）は図６（ａ）の背面図である。
【図７】図１にスカートガード着脱治具を取付けて、スカートガードを吊り上げた時の拡大側面図である。
【図８】図７の要部拡大図である。
【図９】図６のスカートガード着脱治具を用いて、図１のエスカレーターからスカートガードを取外し、吊り下げた状態を示した図である。
【図１０】実施の形態２に係るスカートガード着脱治具の全体斜視図である。
【図１１】図１０のスカートガード着脱治具をスカートガードに取付けた時の要部側面図である。
【符号の説明】
【００２７】
１  主枠、２  欄干、３  駆動機、４  駆動チェーン、５  駆動スプロケット、６  上部踏段スプロケット、７  踏段チェーン、８  踏段、９  下部踏段スプロケット、１０  スカートガード、１０ａ  裏補強部、１０ｂ  クリップ、１１  スカートアングル取付金、１２  スカートアングル、１３  締結部品、１４  手摺ガイド取付金、１５  手摺ガイド、１６  締結部品、１７  移動手摺、１８  上弦枠、１９  取付金、２０  締結部品、２１  受金、２２、２３  締結部品、２４  インナーデッキ、２５  外側デッキ、２６  スカートガード着脱治具、２６ａ  フック部、２６ｂ  基部、２６ｃ  補強部、２６ｄ  把持部、２６ｅ  挟み部、２７  係止腕部、２８  連結材、３６  スカートガード着脱治具。
【図１】
2007230700.tif 000003
【図２】
2007230700.tif 000004
【図３】
2007230700.tif 000005
【図４】
2007230700.tif 000006
【図５】
2007230700.tif 000007
【図６】
2007230700.tif 000008
【図７】
2007230700.tif 000009
【図８】
2007230700.tif 000010
【図９】
2007230700.tif 000011
【図１０】
2007230700.tif 000012
【図１１】
2007230700.tif 000013